(57)【要約】【課題】おもちを焼くのに適したオーブントースターを提供することを目的とする。【解決手段】汎用的に使用される基本となる第１の加熱調理網に加えて、おもち用等特定の調理用途に適した第２の加熱調理網の少なくとも２種の加熱調理網を組み合わせて使用することができるようにすることによって、焼き上がったおもち等被加熱物が垂れ落ちるようなことがなく、また洗浄等の手入れが簡単であるようにした。【選択図】　　　　図１６
2004012009.tif 000002
【特許請求の範囲】
【請求項１】
所定容積の加熱調理用空間を有するとともにその前面側に開口部を設けた本体ケースと、該本体ケースの上記前面側開口部に設けられた開閉扉と、上記本体ケースの上記加熱調理用空間内の上下両位置に設けられた電気ヒータと、該上下電気ヒータ間に位置して軸部を介して前後方向に移動可能に支持され、上記開閉扉の開閉操作に連動して上記本体ケース開口部から前方に引き出され、また逆に上記本体ケース内に押し込まれる加熱調理網とを備えてなるオーブントースターであって、上記加熱調理網は、加熱調理皿の載置が可能で各種の加熱調理に汎用的に使用される第１の加熱調理網と、該第１の加熱調理網に対して重合して使用される特定の加熱調理用途に適した第２の加熱調理網との２種の加熱調理網からなることを特徴とするオーブントースター。
【請求項２】
第２の加熱調理網は、第１の加熱調理網の線条部に係合して係止される凸状の係合部が設けられていることを特徴とする請求項１記載のオーブントースター。
【請求項３】
第２の加熱調理網には、上記第１の加熱調理網を支持する本体ケース側軸部に係合して係止される凸状の係合部が設けられていることを特徴とする請求項１記載のオーブントースター。
【請求項４】
第２の加熱調理網は、上記第１の加熱調理網の網目を複数に分割するように重合されるようになっていることを特徴とする請求項１，２又は３記載のオーブントースター。
【請求項５】
第２の加熱調理網がおもちを焼くことを主たる用途とする格子状の網目を有する加熱調理網であり、その網目間隔は、第１の加熱調理網の網目間隔よりも小さく形成されていることを特徴とする請求項１，２，３又は４記載のオーブントースター。
【請求項６】
第２の加熱調理網の凸状の係合部は、加熱調理皿上に載置した時には、皿面と網面との間に所定の隙間を形成して支持する脚部として機能するように構成されていることを特徴とする請求項２，３，４又は５記載のオーブントースター。
【発明の詳細な説明】
【０００１】
【発明の属する技術分野】
本願発明は、加熱調理網を備えたオーブントースターの構造に関するものである。
【０００２】
【従来の技術】
一般に、オーブントースターは、内部に所定容積の加熱調理用空間を有するとともにその前面側開口部に開閉扉を設けた本体ケースと、該本体ケースの上記加熱調理用空間内の上下両位置に配設された加熱手段としての電気ヒータと、該上下電気ヒータの間に位置して前後方向に移動可能に支持された加熱調理網（焼き網）とを備えて構成されている。上記開閉扉には、例えば内部を透視できるように耐熱性の高い透明ガラスが嵌め込まれた窓部が設けられている一方、該開閉扉の開閉に連動して上記加熱調理網が上記本体ケースの開口部から前方に引き出され、また本体ケース内に押し込まれるようになっている。そして、上記加熱調理網は、それ単独での焼き網としての使用のほか、必要に応じて加熱調理皿を載置する載置枠としても使用されるようになっている。
【０００３】
そして、例えばパン類は、当該加熱調理網単体上に直接載置して焼くが、他方おもち等は、柔らかくなると目の大きい同加熱調理網の網目部から下方に垂れたり、同加熱調理網に焦びりつく。そのため、同加熱調理網を洗浄する必要があるが、その間はパン等を焼くことができない。そこで、一般には、同加熱調理網の上に加熱調理皿を載置して焼く方法が採られている。
【０００４】
【発明が解決しようとする課題】
ところが、上記のように加熱調理皿を使うと下方側電気ヒータからの加熱が間接加熱となるので、焼き上がるのに時間がかかるとともに裏面に焦げ目が付きにくい。また、その下方側加熱調理面が平坦面であり、焼き上がったおもちが同平坦な加熱調理面にくっついて形がくずれてしまうとともに、以後の加熱調理皿自体の手入れが大変であった。
【０００５】
本願発明は、このような従来の加熱調理網部分の問題点に鑑みてなされたもので、上記汎用的に使用される基本となる第１の加熱調理網に加えて、おもち用等特定の調理用途に適した第２の加熱調理網の少なくとも２種の加熱調理網を組み合わせて使用することができるようにすることによって、焼き上がったおもち等被加熱物が垂れ落ちるようなことがなく、また洗浄等の手入れが簡単であるようにしたオーブントースターを提供することを目的とするものである。
【０００６】
【課題を解決するための手段】
本願各発明は、上記の目的を達成するために、それぞれ次のような課題解決手段を備えて構成されている。
【０００７】
（１）　請求項１の発明
この発明のオーブントースターは、所定容積の加熱調理用空間を有するとともにその前面側に開口部を設けた本体ケースと、該本体ケースの上記前面側開口部に設けられた開閉扉と、上記本体ケースの上記加熱調理用空間内の上下両位置に設けられた電気ヒータと、該上下電気ヒータ間に位置して軸部を介して前後方向に移動可能に支持され、上記開閉扉の開閉操作に連動して上記本体ケース開口部から前方に引き出され、また逆に上記本体ケース内に押し込まれる加熱調理網とを備えてなるオーブントースターであって、上記加熱調理網は、加熱調理皿の載置が可能で各種の加熱調理に汎用的に使用される第１の加熱調理網と、該第１の加熱調理網に対して重合して使用される特定の加熱調理用途に適した第２の加熱調理網との２種の加熱調理網からなることを特徴としている。
【０００８】
したがって、該構成では、第１の加熱調理網に対して第２の加熱調理網が組み合わされて、重合されることにより、汎用的な第１の加熱調理網のみでは十分に対応し得ない所望の調理用途に対応した適切な網目間隔の加熱調理網が形成されるようになる。
【０００９】
（２）　請求項２の発明
この発明のオーブントースターは、上記請求項１の発明の構成において、第２の加熱調理網には、第１の加熱調理網の線条部に係合して係止される凸状の係合部が設けられていることを特徴としている。
【００１０】
したがって、該構成では、重合時、第２の加熱調理網側に設けた凸状の係合部が、第１の加熱調理網側の線条部に係合して確実に係止され、扉開閉時においても安定した状態に支持される。
【００１１】
（３）　請求項３の発明
この発明のオーブントースターは、上記請求項１の発明の構成において、第２の加熱調理網には、上記第１の加熱調理網を支持する本体ケース側軸部に係合して係止される凸状の係合部が設けられていることを特徴としている。
【００１２】
したがって、該構成では、重合時、第２の加熱調理網側に設けた凸状の係合部が、第１の加熱調理網を支持している本体ケース側の軸部に係合して、より確実に係止され、扉開閉時においても一層安定した状態に支持される。
【００１３】
（４）　請求項４の発明
この発明のオーブントースターは、上記請求項１，２又は３の発明の構成において、第２の加熱調理網は、第１の加熱調理網の網目を複数に分割するように重合されるようになっていることを特徴としている。
【００１４】
したがって、該構成では、第１の加熱調理網の網目の大きさ如何に拘わらず、第２の加熱調理網の網目によって、最終的に所望の大きさと数の網目を形成することができる。
【００１５】
（５）　請求項５の発明
この発明のオーブントースターは、上記請求項１，２，３又は４の発明の構成において、第２の加熱調理網がおもちを焼くことを主たる用途とする格子状の網目を有する加熱調理網であり、その網目間隔は、第１の加熱調理網の網目間隔よりも小さく形成されていることを特徴としている。
【００１６】
したがって、該構成では、第１の加熱調理網に対して第２の加熱調理網が組み合わされることにより、おもちを焼くのに適した，より細かい網目間隔の加熱調理網が、その線条部の高さを異にして形成されるようになり、柔らかくなったおもちの垂れ下がりや第１の加熱調理網側線条部へのこびり付きを避けながら、適切な焦げ目を付けた加熱効率の高いおもちの焼き上げ可能とすることができる。
【００１７】
（６）　請求項６の発明
この発明のオーブントースターは、上記請求項２，３，４又は５の発明の構成において、第２の加熱調理網の凸状の係合部は、加熱調理皿上に載置した時には、皿面と網面との間に所定の隙間を形成して支持する脚部として機能するように構成されていることを特徴としている。
【００１８】
したがって、該構成では、例えばフライ暖め等の調理を行う時の油落しにも有効に利用することができるようになる。
【００１９】
【発明の効果】
以上の結果、本願発明によると、トースト等の一般的な加熱調理用途はもちろん、おもちの焼き上げやフライ暖め等の所定の加熱調理用途にも適した使い勝手の良いオーブントースターを提供することができるようになる。
【００２０】
【発明の実施の形態】
（実施の形態１）
図１〜図１８は、本願発明の実施の形態１に係る加熱調理網を備えたオーブントースターの構造を示している。
【００２１】
（全体の構成）
このオーブントースターは、内部に所定容積の加熱調理用空間７を有するとともに、その前面側開口部８に開閉扉２を設けた本体ケース１と、該本体ケース１の上記加熱調理用空間７内の上下両位置に配設された加熱手段としての電気ヒータ３，４と、該上下電気ヒータ３，４の間に位置して本体ケース１左右両側壁部１２，１２の左右一対のガイド溝１２ａ，１２ａおよび同ガイド溝１２ａ，１２ａ間に介装された軸部１５を介して前後方向に移動可能に支持された加熱調理網（焼き網）２０とを備えて構成されている。上記開閉扉２には、開閉操作を行うための把手部１１と例えば内部を透視できるように耐熱性の高い透明ガラスが嵌め込まれていた窓部６とが設けられている一方、該開閉扉２の開閉操作に連動して、上記加熱調理網２０が上記本体ケース１の前面側開口部８から前方に引き出され、また逆に上記本体ケース１の加熱調理用空間７内に押し込まれるようになっている。なお、上記本体ケース１正面側一側の操作パネル部１３には、火力調節ノブ１４Ａ、タイマーノブ１４Ｂ等の操作部材が設けられている。
【００２２】
そして、この実施の形態の場合、上記加熱調理網２０は、上記開閉扉２の裏面側に設けられたフック部２ａと係合して前後方向に移動可能となっていて、それ単独でパンその他の調理物の焼き網として使用されるほか、必要に応じて例えば図１８に示すような加熱調理皿３０を載置する載置枠として汎用的に使用される網目の大きな第１の加熱調理網２１と、該第１の加熱調理網２１上に重合状態で載置される特定の調理用途に適した網目の小さな第２の加熱調理網２２とから構成されている。
【００２３】
そして、例えばパン類は、上記網目の大きな第１の加熱調理網２１単体上に直接載置して焼くが、他方おもち等は、柔らかくなると同第１の加熱調理網２１の大きな網目部から下方に垂れるので、同第１の加熱調理網２１の上に、さらに以下のような構成の第２の加熱調理網２２を載置重合して焼く方法が採られる。
【００２４】
（第１の加熱調理網の構成）
先ず図３〜図９は、上記基本となる第１の加熱調理網２１の構成を示している。
【００２５】
図中、符号２１Ａは当該第１の加熱調理網２１の本体部を形成する角部が角形の若干太めの方形フレームであり、該方形フレーム２１Ａは、前部２１ａ、後部２１ｂ、左右両側部２１ｄ，２１ｄの相互に連続する４辺からなっている。そして、その左右両側部２１ｄ，２１ｄ各々の若干後部寄り部分には、下方側に突出させてＶ字形に折り曲げられた上記本体ケース側軸部１５との第１の係合部２３，２３が設けられている一方、後部２１ｂ部分は、同左右両側部２１ｄ，２１ｄ部分の後部から上方側に所定の高さだけ鉤状に折り曲げられて、被加熱物が後方側に落ちるのを阻止する段差部（係止壁）を形成している。
【００２６】
そして、このように構成された同方形フレーム２１Ａの上記左右両側部２１ｄ，２１ｄ間には、例えば前方側から後方側にかけて第１〜第３の３本の横方向線条部材２１Ｂ，２１Ｂ，２１Ｂが等間隔で架橋されているとともに、また前部２１ａおよび後部２１ｂ間には、例えば左側から右側に第１〜第８の８本の縦方向線条部材２１Ｃ，２１Ｃ・・・が同じく等間隔で架橋され、それら各々の各交叉部および架橋端部間が方形フレーム２１Ａとともに相互に溶着接合されて一体化され、図示のような各網目部が縦方向（前後方向）に長い格子構造の網目体を構成している。
【００２７】
また、この場合、上記第１〜第８の８本の縦方向線条部材２１Ｃ，２１Ｃ・・・は、それぞれ上記本体側角形の方形フレーム２１Ａの左右両側部２１ｄ，２１ｄと同様に同様の前後方向位置で、同様のＶ字形状に折り曲げられて上記本体ケース１側軸部１５との係合部２３，２３・・・を形成しているとともに、後端部も同様に上方側に鉤状に折り曲げられて段差部（係止壁）を形成している。
【００２８】
一方、上記第１〜第３の３本の横方向の線条部２１Ｂ，２１Ｂ，２１Ｂの内の最後方部側第３の横方向線条部材２１Ｂの左右両側には、下方側に突出してＶ字形状に折り曲げられ、かつ、その先端を若干前方側に傾けられた本体ケース１側軸部１５との第２の係合部２４，２４が設けられている。
【００２９】
したがって、上記第１の加熱調理網２１は、例えば図２および図３に示すように、上記本体ケース１内の加熱調理用空間７内において、その左右両側壁部１２，１２のガイド溝１２ａ，１２ａ間に前後移動可能に架け渡された軸部１５に係合された時は、上記角形の方形フレーム２１Ａ、第１〜第８の８本の縦方向線条部材２１Ｃ，２１Ｃ・・・各々に設けられた第１の係合部２３，２３・・・と上記最後方側第３の横方向線条部材２１Ｂの左右両側に設けられた第２の係合部２４，２４との間に当該軸部１５を挟み込む形で支持され、さらに上記角形の方形フレーム２１Ａの前部２１ａの中央が、上記開閉扉２裏面側のフック部２ａに係合されることにより、開閉扉２の開閉操作に応じて、前後方向に移動可能となる。
【００３０】
なお、図３中において、符号１６，１６は、上記本体ケース１側軸部１５の左右両端側位置規制用ストッパリング、１５ａ，１５ａは同軸部１５の左右両端側ガイド溝１２ａ，１２ａ内への係合部である。
【００３１】
（第２の加熱調理網の構成）
次に図１０〜図１５は、上記第１の加熱調理網２１に重合して使用される第２の加熱調理網２２の構成を示している。
【００３２】
図中、符号２２Ａは当該第２の加熱調理網２２の本体部を形成する他の線条部材よりも若干太めの角部が丸形の方形フレームであり、該丸形の方形フレーム２２Ａは、前部２２ａ、後部２２ｂ、左右両側部２２ｄ，２２ｄの相互に連続する４辺からなっている。
【００３３】
そして、この丸形の方形フレーム２２Ａの左右両側部２２ｄ，２２ｄ間には、例えば前方から後方に第１〜第１４の１４本の横方向線条部材２２Ｂ，２２Ｂ・・・が等間隔で架橋されているとともに、前部２２ａおよび後部２２ｂ間には、例えば左から右に第１〜第７の７本の縦方向線条部材２２Ｃ，２２Ｃ・・・が同じく等間隔で架橋され、それら各々の各交叉部および架橋端部間が丸形の方形フレーム２２Ａとともに相互に溶着接合されて一体化され、図示のような各網目部が横方向に長い長方形状の格子構造の網目体を構成している。
【００３４】
そして、上記第１〜第１４の１４本の横方向線条部材２２Ｂ，２２Ｂ・・・の内の第３，第４の線条部材と第１１，第１２の線条部材には、それぞれ上記本体側方形フレーム２２Ａの左右両側部２２ｄ，２２ｄに隣合う同一位置で、各々図示のように下方に断面Ｖ字形状に折り曲げられて、上記本体ケース１側軸部１５および第１の加熱調理網２１の最後方側第３の横方向線条部材２１Ｂと同第１の加熱調理網２１の最前方側第１の横方向線条部材２１Ｂをそれぞれ前後両側から挟む形で係合する一方、第１の加熱調理網２１側の左右両側の第１，第８の縦方向線条部材２１Ｃ，２１Ｃの内側に当接する形で係合する各一対合計４組の係合部２６，２６、２６，２６・・・を各々形成している。
【００３５】
そして、該第２の加熱調理網２２は、上記のようにして構成された各一対で前後、左右合計４組の下方に断面Ｖ字形に突出する係合部２６，２６、２６，２６・・・を、上述のようにして第１の加熱調理網２１自体を支持する本体ケース１側軸部１５および第１の加熱調理網２１側にあって当該軸部１５に対する第２の係合部２４，２４を有する上記第３の横方向線条部材２１Ｂと同じく第１の加熱調理網２１側第１の横方向線条部材２１Ｂの各々を前後両側から挟み込むようにし、かつ第１の加熱調理網２１の左右両側第１，第８の縦方向線条部材２１Ｃ，２１Ｃの内側に位置させるようにして上方側から嵌合して係合され、例えば図１６および図１７に示すような状態に重合される。
【００３６】
（重合構造の特徴）
該重合は、上記図３〜図９に示した第１の加熱調理網２１と上記図１０〜図１５に示した第２の加熱調理網２２各々の全体の寸法（第１の加熱調理網２１＞第２の加熱調理網２２）、全体の形状（第２の加熱調理網２２は、前後左右共対称な形状）、それら各々の網目部相互の格子本数（第１の加熱調理網２１は縦８本×横３本、第２の加熱調理網２２は縦７本×横１４本）、格子形状、格子寸法等の関係を、例えば図１７に詳細に示されるように、上記第２の加熱調理網２２の角部が丸形の方形フレーム２２Ａの左右両側部２２ｄ，２２ｄと縦方向の複数本（７本）の線条部材２２Ｃ，２２Ｃ・・・が、必ず上記第１の加熱調理網２１の角部が角形の方形フレーム２１Ａの左右両側部２１ｄ，２１ｄと複数本（８本）の縦方向の線条部材２１Ｃ，２１Ｃ・・・の間に位置して、その網目の各々を２分割するように設定して形成されている一方、他方上記第２の加熱調理網２２の横方向の特に多数本（１４本）の線条部材２２Ｂ，２２Ｂ・・・が、同第１の加熱調理網２１の各網目を３分割〜５分割するように設定して形成されている。
【００３７】
したがって、同図１７から理解されるように、上記重合状態では、少なくとも上記第２の加熱調理網２２の角部が丸形の方形フレーム２２Ａ内調理エリア部分において、上記第１の加熱調理網２１の前後方向に長い長方形状の１つの網目が、最終的に数倍から１０倍以上の多数（６〜１０）で、しかも略大きさの等しい正方形に近い形状の、特におもち等を焼く場合に適した小さな網目構造（例えば１辺が２０ｍｍ以下程度までの）に分割されることになる。
【００３８】
ところで、上述した第１の加熱調理網２１は、例えば図１８に示すように加熱調理皿３０を載せて使用されることもあり、そのような場合、当該加熱調理皿３０の皿面３０ａ上に所定の間隔を置いて上記第２の加熱調理網２２を置くことができるようにすると、例えば一旦冷えた魚フライ等を暖めるのに便利となる。
【００３９】
そこで、そのような要求に応じて、必要に応じ、例えば上記第２の加熱調理網２２のちょうど４角に位置して設けられている凸状の係合部２６，２６、２６，２６・・・を、当該加熱調理皿３０上に載置した時には、その皿面３０ａと網面との間に所定の隙間を形成して支持する脚部としても機能するように構成する。
【００４０】
以上のように、この発明のオーブントースターは、所定容積の加熱調理用空間７を有するとともにその前面側に開口部８を設けた本体ケース１と、該本体ケース１の上記前面側開口部８に設けられた開閉扉２と、上記本体ケース１の上記加熱調理用空間７内の上下両位置に設けられた電気ヒータ３，４と、該上下電気ヒータ３，４間に位置して軸部１５を介して前後方向に移動可能に支持され、上記開閉扉２の開閉操作に連動して上記本体ケース１の開口部８から前方に引き出され、また逆に上記本体ケース１内に押し込まれる加熱調理網２０とを備えてなるオーブントースターにおいて、上記加熱調理網２０は、加熱調理皿３０の載置が可能で各種の加熱調理に汎用的に使用される第１の加熱調理網２１と、該第１の加熱調理網２１に対して重合して使用される特定の加熱調理用途に適した第２の加熱調理網２２との２種の加熱調理網からなっている。
【００４１】
したがって、該構成では、上記第１の加熱調理網２１に対して上記第２の加熱調理網２２が組み合わされて、重合されることにより、汎用的な第１の加熱調理網２１のみでは十分に対応し得ない所望の加熱調理用途に対応した適切な網目間隔の多用性のある加熱調理網を形成することができるようになる。
【００４２】
また、この発明のオーブントースターでは、上記第２の加熱調理網２２には、例えば上記本体ケース１側に支持された上記第１の加熱調理網２１の所定の線条部２１Ｂ，２１Ｂに係合して係止される断面Ｖ字形をした凸状の係合部２６，２６、２６，２６・・・が設けられている。
【００４３】
したがって、該構成では、重合時、第２の加熱調理網２２側に設けた同断面Ｖ字形をした凸状の係合部２６，２６、２６，２６・・・が、上記第１の加熱調理網２１側の横方向の所定の線条部２１Ｂ，２１Ｂまたは縦方向の所定の線条部材２１Ｃ，２１Ｃにそれぞれ係合して前後又は左右各方向に確実に係止され、開閉扉２の開閉時においても安定した状態に支持されるようになる。
【００４４】
また、この発明のオーブントースターでは、上記の構成において、上記第２の加熱調理網２２には、同様に上記第１の加熱調理網２１を支持する本体ケース１側軸部１５に係合して係止される断面Ｖ字形をした凸状の係合部２６，２６、２６，２６・・・が設けられている。
【００４５】
したがって、該構成では、重合時、第２の加熱調理網２２側に設けた同断面Ｖ字形をした凸状の係合部２６，２６、２６，２６・・・が、上記第１の加熱調理網２１を支持している本体ケース１側の軸部１５または縦方向の所定の線条部材２１Ｃ，２１Ｃにそれぞれ係合して、前後又は左右各方向に、より確実に係止され、上記開閉扉２の開閉時においても一層安定した状態に支持されるようになる。
【００４６】
また、この発明のオーブントースターでは、上記の構成において、上記第２の加熱調理網２２は、上記第１の加熱調理網２１の網目を複数（又は多数）に分割するように重合されるようになっている。
【００４７】
したがって、該構成では、第１の加熱調理網２１の網目の大きさ如何に拘わらず、第２の加熱調理網２２の網目によって、最終的に所望の大きさ又は形状と数の網目を任意に形成することができる。
【００４８】
また、この発明のオーブントースターは、上記の構成において、特に第２の加熱調理網２２がおもちを焼くことを主たる用途とする格子状の網目を有する加熱調理網であり、その網目間隔は、第１の加熱調理網２１の網目間隔よりも小さく形成されている。
【００４９】
したがって、該構成では、第１の加熱調理網２１に対して第２の加熱調理網２２が組み合わされることにより、おもちを焼くのに適した，より細かい網目間隔の加熱調理網が、特に２段重ねにより、その線条部２１Ｂ，２１Ｂ・・・、２１Ｃ，２１Ｃ・・・、２２Ｂ，２２Ｂ・・・、２２Ｃ，２２Ｃ・・・の高さを異にして形成されるようになり、柔らかくなったおもちの垂れ下がりや、同垂れ下がりによる下方の第１の加熱調理網２１側線条部へのこびり付きを避けながら、適切な焦げ目を付けた加熱効率の高いおもちの焼き上げ可能とすることができる。
【００５０】
さらに、この発明のオーブントースターでは、上記の構成において、上記第２の加熱調理網２２の凸状の係合部２６，２６、２６，２６・・・は、加熱調理皿３０上に載置した時には、その皿面３０ａと網面との間に所定の隙間を形成して支持する脚部としても機能するように構成されている。
【００５１】
したがって、該構成では、例えばフライ暖め等の調理を行う時の油落しにも有効に利用することができるようになる。
【００５２】
また、上述の第２の加熱調理網２２は、前後左右が共に対称な形状となっている。したがって、設置等が容易である。
【００５３】
以上の結果、この発明の構成によると、トースト等の汎用的な加熱調理はもちろん、おもちの焼き上げやフライ暖め等の所定の調理用途にも、非常に適した使い勝手の良いオーブントースターを提供することができるようになる。
【００５４】
（実施の形態２）
次に図１９〜図２１は、本願発明の実施の形態２に係る加熱調理網を備えたオーブントースターの構成を示している。
【００５５】
先にも述べたように、上述した第１の加熱調理網２１は、前述の図１８に示すように加熱調理皿３０を載せて使用されることもあり、そのような場合、上述した第２の加熱調理網２２は、その係合部２６，２６、２６，２６・・・を脚部として利用して、フライ等暖め時の油落し台としても有効に利用される。
【００５６】
この場合、上述の実施の形態１の構成では、片面側（下面側）の４組の係合部２６，２６、２６，２６・・・のみを脚部として使用し、一方の網目面だけをフライ暖めに利用するようにしたが、これは例えば図１９〜図２１に示すように、その他の第１，第１４の横方向線条部材２２Ｂ，２２Ｂを使用して反対側の面（上面側）にも同様の各１個で４組の逆Ｖ字形状の凸部２７，２７，２７，２７を設け、これらを脚部として使用することにより、同反対側の網目面をも上述のフライ暖めに利用できるようにしてもよい。
【００５７】
この場合、上記実施の形態１の構成では、上記第２の加熱調理網２２の上面側が、あくまでもおもちを焼くことを前提として構成されており、例えば図１６、図１７に示されるように、おもちが可能な限り下方側に位置する縦方向の線条部材２２Ｃ，２２Ｃ・・・にくっつかないように、本体である角部が丸形の方形フレーム２２Ａの上面側に位置して溶着される横方向の線条部材２２Ｂ，２２Ｂ・・・の本数の方を相当に多くし、そのピッチを狭くして格子状の網目を形成するように構成している。したがって、それによって、角部が丸形の方形フレーム２２Ａは、同多数本の横方向線条部材２２Ｂ，２２Ｂ・・・の下側にあって、上記第１の加熱調理網２１側の本数の多い縦方向線条部材２１Ｃ，２１Ｃ・・・との上下方向の有効な間隙距離を保ち、同本数の多い縦方向線条部材２１Ｃ，２１Ｃ・・・側に溶けたもちが焦びり付くのを有効に防止するようにしている。
【００５８】
ところが、これを上記のように反対側の面にも凸部２７，２７，２７，２７を設けることによって、上下逆の関係で、フライ暖めを行えるようにすると、今度は上記直径が大きい角部が丸形の方形フレーム２２Ａが、上記多数本の横方向の線条部材２２Ｂ，２２Ｂ・・・の上方側に位置するようになって、載せられたフライの周囲を囲繞壁状に囲むことになり、扉２を開閉する時などの網面上からのフライの滑り落ちを防止（係止）する作用を果たすことになる（特に左右両側で有効となる）。
【００５９】
また、同様に上方側４角に位置することになる４組の係合部２６，２６、２６，２６・・・も、同様の滑り落ち係止部材として有効に機能する。
【００６０】
なお、その他の部分の構成と作用は、上記実施の形態１のものと全て同様であり、同様の作用を果たす。
【図面の簡単な説明】
【図１】本願発明の実施の形態１に係るオーブントースターの本体部の正面図である。
【図２】同本体部の断面図である。
【図３】同オーブントースターの第１の加熱調理網の斜視図である。
【図４】同網の平面図である。
【図５】同網の底面図である。
【図６】同網の正面図である。
【図７】同網の背面図である。
【図８】同網の左側面図である。
【図９】同網の右側面図である。
【図１０】同オーブントースターの第２の加熱調理網の平面図である。
【図１１】同網の底面図である。
【図１２】同網の正面図である（同網の背面図も本正面図と同一に現れる）。
【図１３】同網の図１０のＡ−Ａ線断面図である。
【図１４】同網の左側面図である（同網の右側面図も本図と同一に現れる）。
【図１５】同網の図１０のＢ−Ｂ断面図である。
【図１６】同オーブントースターの第１，第２の加熱調理網の重合状態の斜視図である。
【図１７】同重合状態の平面図である。
【図１８】同オーブントースターの第１の加熱調理網に加熱調理皿を載置し、さらに第２の加熱調理網を組み合わせた時の断面図である。
【図１９】本願発明の実施の形態２に係るオーブントースターの第２の加熱調理網の構造を示す平面図である。
【図２０】同網の図１９のＣ−Ｃ断面図である。
【図２１】同網の加熱調理皿上での使用状態を示す断面図である。
【符号の説明】
１は本体ケース、２は開閉扉、３，４は電気ヒータ、７は加熱調理用空間、８は開口部、２０は加熱調理網、２１は第１の加熱調理網、２２は第２の加熱調理網、２３は第１の係合部、２４は第２の係合部、２６は係合部である。
【図１】
2004012009.tif 000003
【図２】
2004012009.tif 000004
【図３】
2004012009.tif 000005
【図４】
2004012009.tif 000006
【図５】
2004012009.tif 000007
【図６】
2004012009.tif 000008
【図７】
2004012009.tif 000009
【図８】
2004012009.tif 000010
【図９】
2004012009.tif 000011
【図１０】
2004012009.tif 000012
【図１１】
2004012009.tif 000013
【図１２】
2004012009.tif 000014
【図１３】
2004012009.tif 000015
【図１４】
2004012009.tif 000016
【図１５】
2004012009.tif 000017
【図１６】
2004012009.tif 000018
【図１７】
2004012009.tif 000019
【図１８】
2004012009.tif 000020
【図１９】
2004012009.tif 000021
【図２０】
2004012009.tif 000022
【図２１】
2004012009.tif 000023